(57)【要約】【課題】エアコンの室外機から排出される熱気を充分に排気することができ、かつ住宅等の建物の外観を損なうことのないバルコニーまたは外廊下の手摺構造を提供すること。【解決手段】バルコニー３の正面壁６における窓１に対面する部分は、多数の小孔を有する多孔壁９ａにより形成され、外壁面２に対面する部分は複数の桟材を所定の間隔をあけて並設した通風の良い格子壁１０ａと、多数の小孔を有する多孔壁９ｂにより形成され、エアコン室外機の排出部に対応する部分に格子壁１０ａが位置し、エアコン室内機に通じる管路とエアコン室外機の接続部に対面する部分に多孔壁９ｂが位置するように構成される。【選択図】図１
2005314942.tif 000002
【特許請求の範囲】
【請求項１】
建物の外壁の外側に張り出したバルコニーまたは外廊下の外縁を囲むようにして設けら
れた手摺において、該手摺の壁部は多数の小孔を有する多孔壁および複数の桟材を所定の
間隔をあけて並設した格子壁を有し、前記バルコニーまたは外廊下に設置されたエアコン
室外機の排気部に対面する部分を前記格子壁とし、エアコン室内機に通じる管路と前記エ
アコン室外機との接続部に対面する部分を前記多孔壁としたことを特徴とするバルコニー
または外廊下の手摺構造。
【請求項２】
前記建物の外壁は、開口部を有し、前記排気部に対面する部分以外で前記開口部に対面
する前記手摺の壁部を前記多孔壁としたことを特徴とする請求項１記載のバルコニーまた
は外廊下の手摺構造。
【請求項３】
前記手摺は、前記開口部を有する外壁面に対面する正面壁と、該正面壁の両側に連設さ
れる側壁を有し、前記開口部に隣接する前記側壁は前記多孔壁により形成されたことを特
徴とする請求項２記載のバルコニーまたは外廊下の手摺構造。
【請求項４】
前記手摺は、前記外壁に対面する正面壁と、該正面壁の両側に連設される側壁を有し、
前記接続部に対面する前記多孔壁に連続する前記側壁は前記多孔壁により形成されたこと
を特徴とする請求項１記載のバルコニーまたは外廊下の手摺構造。
【発明の詳細な説明】
【技術分野】
【０００１】
本発明は、住宅等の建物のバルコニーまたは外廊下の外壁の外側に張り出して設けられ
る手摺構造に関するものである。
【背景技術】
【０００２】
従来より、バルコニーまたは外廊下の手摺部分は、その壁部を、通気口等の開口を全く
有しない完全な遮蔽構造としたもの、多数の縦格子からなる格子状としたも、あるいは、
多孔板からなるもの等が用いられている。
【０００３】
上記において、完全な遮蔽構造としたものでは、そのバルコニーや外廊下内側の窓ある
いはドア等を通して室内等を覗かれるおそれがなく、プライバシーを守るといった意味か
らは最も優れている。しかしながら、このバルコニーの壁部分からは通気性が完全に遮断
されるため、室内への通風性が悪いといった欠点がある。
【０００４】
縦格子によって構成したものでは、通風性は非常に良好であるが、半面、この壁部分の
開口が大きいため、外部から室内を覗かれやすいといった欠点がある。
【０００５】
多孔板からなるものは、両者の長所を取り入れたものと言えないこともないが、必ずし
も通風性が良いとは言えず、例えば、このバルコニーに空調機の室外ユニットを設置した
場合には、その室外ユニットの熱風が良好に排出されず、熱がこもりやすいといった欠点
がある。
【０００６】
上記したような状況に鑑み、特許文献１には、手摺の壁部を、多数の小孔を有する多孔
壁と通風の良い格子壁とで構成し、プライバシーが損なわれることなく通風性を改善した
バルコニーが記載されている。また、特許文献１には、通風の良い格子壁部分にエアコン
の室外機を設置すると、室外機からの熱気を充分に排気することができ、バルコニー内に
熱気がこもるのを防止することができることが記載されている。
【特許文献１】特開平１１−８１６０３号公報
【発明の開示】
【発明が解決しようとする課題】
【０００７】
しかしながら、通気性の良い格子壁部分にエアコン室外機を単に設置した場合、エアコ
ン室内機に通じる管路とエアコン室外機との接続部が外部から見え、住宅の外観が損なわ
れるといった欠点が新たに指摘されるようになった。
【０００８】
本発明は上記に鑑み、エアコンの室外機から排出される熱気を充分に排気することがで
き、かつ住宅等の建物の外観を損なうことのないバルコニーの手摺構造を提供することを
課題とする。
【課題を解決するための手段】
【０００９】
上記の課題を解決するため、請求項１に係わる発明は、建物の外壁の外側に張り出した
バルコニーまたは外廊下の外縁を囲むようにして設けられた手摺において、該手摺の壁部
は多数の小孔を有する多孔壁および複数の桟材を所定の間隔をあけて並設した格子壁を有
し、前記バルコニーまたは外廊下に設置されたエアコン室外機の排気部に対面する部分を
前記格子壁とし、エアコン室内機に通じる管路と前記エアコン室外機との接続部に対面す
る部分を前記多孔壁としたバルコニーまたは外廊下の手摺構造を特徴とするものである。
【００１０】
請求項２に係わる発明は、前記建物の外壁は、開口部を有し、前記排気部に対面する部
分以外で前記開口部に対面する前記手摺の壁部を前記多孔壁とした請求項１記載のバルコ
ニーまたは外廊下の手摺構造を特徴とするものである。
【００１１】
請求項３に係わる発明は、前記手摺は、前記開口部を有する外壁面に対面する正面壁と
、該正面壁の両側に連設される側壁を有し、前記開口部に隣接する前記側壁は前記多孔壁
により形成された請求項２記載のバルコニーまたは外廊下の手摺構造を特徴とするもので
ある。
【００１２】
請求項４に係わる発明は、前記手摺は、前記外壁に対面する正面壁と、該正面壁の両側
に連設される側壁を有し、前記接続部に対面する前記多孔壁に連続する前記側壁は前記多
孔壁により形成された請求項１記載のバルコニーまたは外廊下の手摺構造を特徴とするも
のである。
【発明の効果】
【００１３】
請求項１に係わる発明によれば、バルコニーまたは外廊下の手摺の壁部は、多数の小孔
を有する多孔壁および複数の桟材を所定の間隔をあけて並設した格子壁を有し、バルコニ
ーまたは外廊下に設置されたエアコン室外機の排気部に対面する部分を格子壁とし、エア
コン室内機に通じる管路とエアコン室外機との接続部に対面する部分を多孔壁としたので
、エアコンの室外機から排出される熱気は通風の良い格子壁の部分から直ちに排気され、
しかも、エアコン室内機に通じる管路とエアコン室外機との接続部は多孔壁部分により外
部が見えなくなるので住宅等の建物の外観を損なうことがなくなる。
【００１４】
請求項２に係わる発明によれば、外壁の窓やドア等の開口部に対面する手摺の壁部を多
孔壁とし、外壁面に対面する手摺の壁部を前記格子壁としたので、請求項１に係わる発明
の効果に加えて通気性を確保しながらプライバシーが損なわれるおそれが解消される。
【００１５】
請求項３に係わる発明によれば、開口部に隣接する側壁は多孔壁により形成されるので
、請求項２に係わる発明よりもさらにプライバシーの確保が保証される。
【００１６】
請求項４に係わる発明によれば、接続部に対面する多孔壁に連続する側壁は多孔壁によ
り形成されるので、エアコン室内機に通じる管路をバルコニー内に配管すると、管路の露
出を最小限とすることができるので、住宅の外観をさらに改善することができる。
【発明を実施するための最良の形態】
【００１７】
図１は、本発明の一実施の形態に係わるバルコニーを二階に備えた住宅の要部の斜視図
である。住宅は、外壁の一部として窓１および窓１に隣接する外壁面２を備えており、窓
１の左端部から外壁面２の右端部にかけてバルコニー３が張り出して設置されている。バ
ルコニー３は、底部に設けられた床４と外縁を囲むようにして設けられた手摺５とを備え
ている。
【００１８】
手摺５は、窓１および外壁面２に対面して設けられた正面壁６と、図１を正面視して正
面壁６の左側と右側の両側にそれぞれ連設された左側壁７と右側壁８を備えている。左側
壁７は正面壁６の左端部から窓１の左端部にかけて形成され、右側壁８は正面壁６の右端
部から外壁面２の右端部にかけて形成されている。
【００１９】
正面壁６の窓１に対面する部分は、多数の小孔を有する多孔壁９ａにより形成され、外
壁面２に対面する部分は、複数の桟材を所定の間隔をあけて並設した通風の良い格子壁１
０ａと、多数の小孔を有する多孔壁９ｂにより形成されている。また、窓１に近接した左
側壁７は多数の小孔を有する多孔壁９ｃにより形成され、外壁面２に近接した右側壁８は
通風の良い格子壁１０ｂにより形成されている。なお、多数の小孔を有する多孔壁９ａと
は、壁面に正面視が正方形の小孔を多数穿設したもので、ある程度の通風性を確保しなが
ら透視性が小さいものをいう。
【００２０】
図２は、図１に示したバルコニー３にエアコン室外機を配置した状態を示す正面図、図
３は図２の矢印（イ）方向から観た側面図である。エアコン室外機１１は、その排気部１
２に対面する部分に通風の良い格子壁１０ａが位置するように配置され、また、エアコン
室内機に通じる管路１３とエアコン室外機１１の接続部１４に対面する部分には多数の小
孔を有する多孔壁９ｂが配置されている。なお、本実施の形態においては、管路１３は、
バルコニー３の外側に導出されて配管されている。
【００２１】
上記実施の形態では、エアコン室外機１１の排気部１２に対面する部分を格子壁１０ａ
とし、エアコン室内機に通じる管路１３とエアコン室外機１１との接続部１４に対面する
部分を多孔壁９ｂとしたため、エアコン室外機１１から排出される熱気は格子壁１０ａ部
分から直ちに排気され、しかも、接続部１４は外部から見えなくなるので外観を損なうこ
とがなくなる。また、窓１の正面部分と、その窓１に近接した左側壁７を多孔壁９ｃとし
、外壁面２に近接した右側壁８を格子壁１０ｂとしたため、外から見上げたときに窓１を
通して室内を覗かれるおそれが少なく、なおかつ、通風性も確保できる構造となっている
。
【００２２】
図４および図５は、本発明の他の実施の形態を示したもので、図４は正面図、図５は図
４の矢印（ロ）方向から観た側面図である。この実施の形態と図１〜図３に示した実施の
形態とで異なる点は、エアコン室内機に通じる管路１３をバルコニー３の内側に配管し、
右側壁８を多孔壁９ｄとした点である。右側壁８を多孔壁９ｄとしたため、通風性におい
て図１、図２の実施の形態より若干劣るものの、接続部１４および管路１３の双方が多孔
壁９ｂ、９ｄにより隠蔽され、より外観の向上したバルコニーを実現できるようになる。
【００２３】
上記の実施の形態においては、住宅のバルコニーの例について説明したが、本発明は、
アパート等の外廊下に対しても適用できるものである。また、上記実施の形態においては
窓の外側にバルコニーを張り出した例について説明したが、玄関等の外側にバルコニーや
外廊下を張り出す場合にも適用できるものである。さらに、多数の小孔を有する多孔壁９
ａの孔の形状は正面視が正方形に限定されることなく長方形、三角形または丸形等どのよ
うな形状でもよく、孔の大きさや数量は、ある程度の通風性を確保しながら透視性が小さ
いものであれば特に限定されるものではない。
【図面の簡単な説明】
【００２４】
【図１】本発明の一実施の形態に係わるバルコニーを二階に備えた住宅の要部の斜視図。
【図２】図１に示したバルコニーにエアコン室外機を配置した状態を示す正面図。
【図３】図２の矢印（イ）方向から観た側面図。
【図４】本発明の他の実施の形態の正面図。
【図５】図４の矢印（ロ）方向から観た側面図。
【符号の説明】
【００２５】
１  窓
２  外壁面
３  バルコニー
５  手摺
６  正面壁
７  左側壁
８  右側壁
９ａ、９ｂ、  多孔壁
１０ａ、１０ｂ  格子壁
１１  エアコン室外機
１２  排気部
１３  管路
１４  接続部
【図１】
2005314942.tif 000003
【図２】
2005314942.tif 000004
【図３】
2005314942.tif 000005
【図４】
2005314942.tif 000006
【図５】
2005314942.tif 000007